(57)【要約】【課題】誘導灯装置において、非常動作確認時に、第１の光源の動作確認のしやすい点滅型誘導灯装置の提供を目的とする。【解決手段】誘導灯装置１２０は、リモコン発信機から非常時動作の確認を指示する動作確認信号を送信することにより非常時動作を遠隔操作で確認可能である。マイコン１１１は、リモコン受信部６が動作確認信号を受信すると、誘導灯点灯回路１１をバッテリを電源とするバッテリ駆動させることにより、第１の光源１２をＴ１期間点灯させ、次に、点滅回路１４をバッテリを電源とするバッテリ駆動させることにより、第２の光源４をＴ２期間、点滅させ、Ｔ２期間の後に、音声回路１５をバッテリを電源とするバッテリ駆動させることにより、スピーカ８から音声をＴ３期間発生させる。作業者は、第１の光源と第２の光源をことなる時間に確認できる。【選択図】図４
2010186616.tif 000002
【特許請求の範囲】
【請求項１】
リモコン発信機から非常時動作の確認を指示する動作確認信号を送信することにより非常時動作を遠隔操作で確認可能な誘導灯装置において、
表示パネルに設けられた誘導表示を照射する第１光源を商用電源またはバッテリを電源として点灯動作させる第１回路と、
第２光源を前記バッテリを電源として点滅動作させる第２回路と、
前記リモコン発信機から前記動作確認信号を受信するリモコン受信部と、
前記リモコン受信部が前記動作確認信号を受信すると、前記第１回路と前記第２回路とを前記バッテリを電源とするバッテリ駆動させることにより、前記第１光源と前記第２光源とを異なる期間に順次に動作させる動作制御部と
を備えたことを特徴とする誘導灯装置。
【請求項２】
前記誘導灯装置は、さらに、
スピーカと、
前記バッテリを電源として前記スピーカから誘導音を発生する音声回路と
を備え、
前記動作制御部は、
前記リモコン受信部が前記動作確認信号を受信すると、前記音声回路をバッテリ駆動させることにより前記誘導音を発生させることを特徴とする請求項１記載の誘導灯装置。
【請求項３】
前記動作制御部は、
前記誘導音を、前記第２光源の動作期間に発生させ、あるいは、前記第１光源と前記第２光源との動作期間以外の期間に発生させることを特徴とする請求項２記載の誘導灯装置。
【請求項４】
前記動作制御部は、
前記動作確認信号に基づきバッテリ駆動する前記音声回路に、予め動作確認用に設定された所定の音声を発生させることを特徴とする請求項請求項２または３のいずれかに記載の誘導灯装置。
【発明の詳細な説明】
【技術分野】
【０００１】
この発明は、誘導灯装置の非常時動作の確認に関する。
【背景技術】
【０００２】
従来から避難口の位置および避難方向などを明示するために、平常時には商用電源でランプを点灯（常用点灯と称す）して表示パネルを照射し、非常時には内蔵されたバッテリによりランプを点灯（非常点灯と称す）すると共に表示パネルを照射するランプとは別のランプを点滅する点滅型誘導灯装置と、この機能に加え非常時にスピーカから誘導音を発生する誘導音付き点滅型誘導灯装置がある。誘導音は、例えば「非常口はこちらです」など非常口を示す音声を発生する（例えば特開平８−１６１６６５号公報）。
【０００３】
近年、リモコンを用い遠隔操作で非常時の動作を確認できる誘導灯装置が実用化されている。非常動作は、点滅型誘導灯装置の場合、誘導灯装置本体に内蔵するバッテリを電源として、第１の光源を点灯すると同時に第２の光源を点滅し動作を確認する。また、誘導音付き点滅型誘導灯装置の場合は更に誘導音の発生を確認する。
【先行技術文献】
【特許文献】
【０００４】
【特許文献１】特開平８−１６１６６５号公報
【発明の概要】
【発明が解決しようとする課題】
【０００５】
第２の光源の点滅は短時間大光量を発光するため、確認者は誘導灯装置を直視できず、第１の光源が非常点灯したことを確認者が確認しづらいという課題があった。この発明は、点滅型誘導灯装置において、非常動作確認時に、第１の光源の動作確認のしやすい点滅型誘導灯装置の提供を目的とする。
【課題を解決するための手段】
【０００６】
この発明の誘導灯装置は、
リモコン発信機から非常時動作の確認を指示する動作確認信号を送信することにより非常時動作を遠隔操作で確認可能な誘導灯装置において、
表示パネルに設けられた誘導表示を照射する第１光源を商用電源またはバッテリを電源として点灯動作させる第１回路と、
第２光源を前記バッテリを電源として点滅動作させる第２回路と、
前記リモコン発信機から前記動作確認信号を受信するリモコン受信部と、
前記リモコン受信部が前記動作確認信号を受信すると、前記第１回路と前記第２回路とを前記バッテリを電源とするバッテリ駆動させることにより、前記第１光源と前記第２光源とを異なる期間に順次に動作させる動作制御部と
を備えたことを特徴とする。
【発明の効果】
【０００７】
この発明により、誘導灯装置において、非常動作確認時に、第１の光源の動作確認のしやすい誘導灯装置を提供できる。
【図面の簡単な説明】
【０００８】
【図１】実施の形態１の誘導灯装置１１０の外観を示す図。
【図２】実施の形態１の誘導灯装置１２０の外観を示す図。
【図３】実施の形態１の誘導灯装置１２０のブロック図。
【図４】実施の形態１の誘導灯装置１２０の動作を示すタイミングチャート。
【図５】実施の形態１の誘導灯装置１２０のブロック構成のバリエーションを示す図。
【発明を実施するための形態】
【０００９】
実施の形態１．
図１は、実施の形態１の誘導灯装置１１０（誘導灯装置）の外観を示す図である。誘導灯装置１１０は、リモコン発信機から非常時動作の確認を指示する動作確認信号を送信することにより非常時動作を遠隔操作で確認可能である。
【００１０】
図１では、誘導灯本体１、誘導表示が設けられた表示パネル２、第２の光源用カバー３、第２の光源４（第２光源）、本体１に設けられたリモコン信号受信用の穴５、本体１の内部に設置されたリモコン受信部６（破線）を示している。
【００１１】
図２は誘導灯装置１２０の外観を示す図である。図１と同一または同等する部分は同符号としている。図２では、さらに本体１に設けられたスピーカ用穴７、本体１の内部に設置されたスピーカ８を示している。
【００１２】
図３は図２の誘導灯装置１２０の内部構成を示すブロック図である。なお、誘導音のない誘導灯装置１１０の場合は、図３において音声回路１５、スピーカ８のない構成である。
【００１３】
図３に示すように、誘導灯装置１２０は、非常時でない通常時は商用電源１０から電力の供給を受ける。誘導灯装置１２０は、図３に示すように、第２の光源４、リモコン受信部６、スピーカ８、誘導灯点灯回路１１（第１回路）、表示パネル２を照射する第１の光源１２（例えばＬＥＤ光源）、バッテリ１３、第２光源を点滅させる点滅回路１４（第２回路）、音声回路１５を備えている。
【００１４】
誘導灯点灯回路１１にはバッテリ１３が接続され、更にリモコン受信部６が接続される。点滅回路１４には第２光源が接続される。第２の光源はキセノンランプなど短時間に大光量を発生するランプが選定される。音声回路１５にはスピーカ８が接続される。
【００１５】
誘導灯点灯回路１１は、マイコン１１１（マイクロコンピュータ；以下マイコンという）を備えている。マイコン１１１（動作制御部）は、リモコン受信部６がリモコン発信機（図示していない）から動作確認信号を受信すると、誘導灯点灯回路１１（第１回路）と点滅回路（第２回路）とをバッテリ１３を電源とするバッテリ駆動させることにより、第１の光源１２と第２の光源４とを異なる期間に順次に動作させる。後述のように第１の光源１２と第２の光源４とのどちらを先に動作させても構わない。マイコン１１１に組み込むプログラム次第で構わない。
【００１６】
次に図４のタイミングチャートを併用して動作を説明する。図４は、誘導灯装置１２０でのリモコンを用いた遠隔操作による非常時動作の確認において、最初に第１の光源１２をバッテリ駆動で点灯させ、次に第２の光源４をバッテリ駆動で点滅させ、最後にスピーカ８からバッテリ駆動により音声を出力する場合を示す図である。
【００１７】
（期間Ｔ１）
図４（ａ）は、リモコン受信部６のリモコン受信信号（動作確認信号の受信状態）を示している。リモコン受信部６が動作確認信号を受信すると、図４（ｂ）に示すように、第１の光源１２は、商用電源１０を電源とする常用点灯からバッテリ１３を電源とする非常点灯に切り替わり、Ｔ１時間非常点灯を行う。すなわち、リモコン受信部６が動作確認信号を受信すると、マイコン１１１は、まず、誘導灯点灯回路１１（第１回路）をバッテリ駆動に切り替えて、期間Ｔ１の間、第１の光源１２をバッテリ駆動で点灯させる。
【００１８】
（期間Ｔ２）
Ｔ１時間経過後、点灯回路１１は点滅回路１４にバッテリ１３の電力を供給し点滅回路１４を駆動する。点滅回路１４は図４（ｃ）に示すように、Ｔ２時間、第２の光源４を点滅点灯する。すなわち、マイコン１１１は、期間Ｔ１が終了すると、誘導灯点灯回路１１（第１回路）を常用点灯に戻すと共に、点滅回路１４（第２回路）にバッテリの電力を供給することにより、期間Ｔ２の間、第２の光源４をバッテリ駆動で点灯させる。
【００１９】
（期間Ｔ３）
Ｔ２時間経過後、マイコン１１１は点滅回路１４へのバッテリ１３の電力供給を停止し、その後、音声回路１５にＴ３時間バッテリ１３の電力をする。音声回路１５はスピーカ８から図４（ｄ）に示すように音声をＴ３時間出力する。この音声出力は実動作（本当に非常時の場合）と混同しないように、比較的小さい音量で言語も例えば「点検中です」など点検であることを表現する音声とする。いかなる確認用音声とするかは、マイコン１１１に予め「所定の音声」を組み込んでおく。なお、誘導灯装置１１０の場合は音声回路１５、スピーカ８が存在しない構成であるので、音声を出力する機能を外せば点滅動作は上記の動作と同様である。
【００２０】
図４では、確認の順番を第１の光源、第２の光源、音声の順番としたが、第１の光源と、第２の光源との確認動作が重複する期間に実行されなければ、どのような順番であっても構わない。すなわち、例えば、誘導灯装置１１０の場合は、まず「第１の光源の非常点灯」し、次に「第２の光源の非常点滅」でも良いし、まず「第２の光源の非常点滅」し、次に「第１の光源の非常点灯」でも良い。また、誘導灯装置１２０の場合は、第１の光源と、第２の光源との確認動作が重複する期間に実行されなければ、どの期間に誘導音を発生してもよい。例えば、まず「第１の光源の非常点灯」し、次に「第２の光源の非常点滅」と「誘導音」とを同一に期間に確認してもよい。あるいは、まず「第１の光源の非常点灯」と「誘導音」とを同一期間に確認し、次に「第２の光源の非常点滅」を確認してもよい。
【００２１】
図５は、誘導灯装置１２０のブロック図構成のバリエーションの例を示す図である。図５において、光源１とあるのは第１の光源を意味し、光源２とあるのは第２の光源を意味し、光源１点灯装置とあるのは誘導灯点灯回路を意味し、光源２点滅装置とあるのは点滅回路を意味し、音声装置とあるのは音声回路を意味する。
【００２２】
図５（ａ）〜（ｂ）は、図４に示した確認動作の順番を示すものではなく、第１の光源と第２の光源との確認動作を重複する期間に実行することなく確認動作を実行するブロック構成（信号の流れ）の例を示したものである。図５（ａ）〜（ｂ）の各マイコンが図３のマイコン１１１（動作制御装置）に相当する。例えば、図５（ａ）では、「光源１用マイコン」と「光源２＋音声用マイコン」とが「マイコン１１１」（動作制御部）に相当し、また、図５（ｅ）では、「光源１用マイコン」と「光源２用マイコン」と「音声装置用マイコン」とが、「マイコン１１１」（動作制御部）に相当する。
【００２３】
以上に説明した誘導灯装置１１０、誘導灯装置１２０により、点滅型の誘導灯装置において、非常動作確認時に、第１の光源の動作確認のしやすい点滅型の誘導灯装置を提供することができる。
【符号の説明】
【００２４】
１  本体、２  表示パネル、３  第２の光源用カバー、４  第２の光源、５  リモコン信号受信用の穴、６  リモコン受信部、７  スピーカ用穴、８  スピーカ、１０  商用電源、１１  点灯回路、１２  第１の光源、１３  バッテリ、１４  点滅回路、１５  音声回路、１１０  誘導灯装置、１１１  マイコン、１２０  誘導灯装置。
【図１】
2010186616.tif 000003
【図２】
2010186616.tif 000004
【図３】
2010186616.tif 000005
【図４】
2010186616.tif 000006
【図５】
2010186616.tif 000007